(57)【特許請求の範囲】
【請求項１】
大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置して個室化するためのパネルシステムにおいて、前記壁側パネル及びサイドパネルを、フレームに複数のパネル板を上下に着脱可能に配したブロックパネル構造とし、前記フレームの上横枠又は下横枠と、両縦枠間の上下中間部に横設した中横枠間、若しくは両縦枠間に上下に間隔を設けて横設した一対の中横枠間に、所定間隔で一対の補助縦枠を固定して取付空間を形成し、該取付空間内にオプション機器を配するとともに、両補助縦枠間に設けた支持部材にオプション機器を取付け、前記縦枠と補助縦枠との間に補助パネル板を着脱可能に取付けてなることを特徴とする大部屋の個室化パネルシステムにおける機器取付装置。
【請求項２】
前記補助縦枠の前面を前記フレームの縦枠の前面と面一に設定するとともに、前記縦枠と補助縦枠の前面の同じ高さ位置に少なくとも上下二箇所にそれぞれ係合孔を形成し、前記補助パネル板の背面両側部の上下部に連結具を設け、該上下連結具で前記係合孔に嵌合係止して補助パネル板を着脱可能に取付けてなる請求項１記載の大部屋の個室化パネルシステムにおける機器取付装置。
【請求項３】
前記中横枠又は下横枠に下部支持部材を取付けるとともに、その上方で両補助縦枠間に上部支持部材を取付け、前記オプション機器を上部支持部材と下部支持部材に連結してなる請求項１又は２記載の大部屋の個室化パネルシステムにおける機器取付装置。
【請求項４】
前記両補助縦枠間の下部に横設した補助横枠に下部支持部材を取付けるとともに、その上方で両補助縦枠間に上部支持部材を取付け、前記オプション機器を上部支持部材と下部支持部材に連結してなる請求項１又は２記載の大部屋の個室化パネルシステムにおける機器取付装置。
【請求項５】
前記オプション機器が、空気清浄機である請求項１〜４何れかに記載の大部屋の個室化パネルシステムにおける機器取付装置。
【請求項６】
フレームに複数のパネル板を上下に着脱可能に配したブロックパネル構造の間仕切パネルにおいて、前記フレームの上横枠又は下横枠と、両縦枠間の上下中間部に横設した中横枠間、若しくは両縦枠間に上下に間隔を設けて横設した一対の中横枠間に、所定間隔で一対の補助縦枠を固定して取付空間を形成し、前記補助縦枠の前面を前記フレームの縦枠の前面と面一に設定するとともに、前記縦枠と補助縦枠の前面の同じ高さ位置に少なくとも上下二箇所にそれぞれ係合孔を形成し、前記取付空間内にオプション機器を配するとともに、両補助縦枠間に設けた支持部材にオプション機器を取付け、前記補助パネル板の背面両側部の上下部に設けた上下連結具を前記縦枠と補助縦枠の係合孔に嵌合係止して、前記縦枠と補助縦枠との間に補助パネル板を着脱可能に取付けてなることを特徴とする間仕切パネルにおける機器取付装置。
【発明の詳細な説明】
【技術分野】
【０００１】
本発明は、大部屋の個室化パネルシステムにおける機器取付装置に係わり、更に詳しくは既存の大部屋の病室を個室化するためのパネルシステムにおいて、パネルの適所に空気清浄機等の機器を取付けるための機器取付装置に関するものである。
【背景技術】
【０００２】
従来、病院の大部屋病室は、廊下側の中央部に出入口があり、該出入口と対面する側には採光のための複数の窓を有し、その両側は構造壁で仕切られた構造が一般的であり、そして出入口から窓へ向かう通路となる共用空間を設け、その両側にベッドを取り囲むように設けられたカーテンで仕切られた個人用空間を設け、その空間内に構造壁側に頭が向くようにベッドが配置された形態が一般的であり、通常は４人部屋、あるいは６人部屋が多い。このような大部屋をカーテンのみで仕切った従来の個人用空間では、入院患者のプライバシーを確保することは殆ど不可能であるばかりでなく、他の患者に対する気遣いも必要であり、それが過度になると患者に心理的ストレスを生じさせたり、患者同士のトラブルの原因ともなり、お世辞にも快適な療養環境とは言えなかった。また、見舞い者や付添い人にとっても居心地が悪く、疲労感を増大させるものであった。
【０００３】
この改善策として、特許文献１には、病院の大部屋において左右で隣り合うベッドの間を床に設置するサイドパネルによって仕切り、前記各ベッドの頭部側には壁側パネルを設置すると共に、各ベッドの足元側は開閉可能なカーテンを配置した病院の大部屋に形成した個室が開示されている。ここで、前記サイドパネルに、前記ベッドを使用する患者の視野に入る部位に平面状画面のテレビ受像機、又は、該受像機の取付支持具を設けると共に、前記サイドパネル又は壁側パネルに前記ベッドに向けて人感知センサーを設ける点が開示されている。更に、パネルに積層タイプのブロックパネルを使用し、ブロックパネルの一部に光透過性のものを使用するか、又は、適宜の着色等を施したものを使用するか、若しくは、光透過性のパネルと着色等を施したパネルを使用する点、あるいはサイドパネル又は壁側パネルには、収納機能を有する収納壁ブロックを使用する点も開示されている。
【０００４】
一般的に、病室は患者の体臭やその他の物から発生した臭いがこもって不快である。特に、前述のようにパネルシステムによって、サイドパネルやカーテンで仕切って個室化した場合には、臭いのこもりはより顕著になると容易に想像できるが、前述の特許文献１には、その解決手段は開示されてない。
【０００５】
尚、特許文献２には、パネル面の一部を切欠いて形成された開口部を備えたパネルにおいて、前記開口部を挟むようにして前記パネルの裏面に少なくとも２個の取付けブラケットを固着し、該取付けブラケットに機器を取付けたパネルにおける機器取付構造が開示されている。ここで、前記パネルの裏面には係合部が設けられ、前記パネルは該係合部により機器設置部材に着脱自在に取付けられるのである。
【０００６】
しかし、この特許文献２に記載の構造は、パネル板の背面に空気清浄器（機器）を取付けるブラケットを固定するとともに、該パネル板にルーバー式開口部を設ける等の加工を施したものを用意し、そして通常のパネル板と同様に当該パネル板の背面両側に突設した係合部を間仕切パネルの両側部フレームの係合孔に係止して支持するものであるので、空気清浄機器の取付安定性に劣り、地震や不意にパネル板に上向きの力が働くとフレームから外れて落下する恐れもある。
【特許文献１】特開２００４−３５３４１６号公報（図１、図２）
【特許文献２】実用新案登録第２５７１１５２号公報（図１、図２）
【発明の開示】
【発明が解決しようとする課題】
【０００７】
そこで、本発明が前述の状況に鑑み、解決しようとするところは、既存の大部屋の構造壁に沿って壁側パネルを設置するとともに、該壁側パネルに対して直角に単又は複数のサイドパネルを連結して設置し、該サイドパネルの遊端側に開閉可能なカーテンを配置して個室化するためのパネルシステムにおいて、壁側パネル又はサイドパネルに空気清浄機やフラットパネルディスプレイ等のオプション機器を、着脱可能で簡単且つ強固に取付けることができるとともに、外観性にも優れた大部屋の個室化パネルシステムにおける機器取付装置を提供する点にある。
【課題を解決するための手段】
【０００８】
本発明は、前述の課題解決のために、大部屋の構造壁に沿って壁側パネルを設置するとともに、該壁側パネルに対して直角に単又は複数のサイドパネルを連結して設置し、該サイドパネルの遊端側に開閉可能なカーテンを配置して個室化するためのパネルシステムにおいて、前記壁側パネル及びサイドパネルを、フレームに複数のパネル板を上下に着脱可能に配したブロックパネル構造とし、前記フレームの上横枠又は下横枠と、両縦枠間の上下中間部に横設した中横枠間、若しくは両縦枠間に上下に間隔を設けて横設した一対の中横枠間に、所定間隔で一対の補助縦枠を固定して取付空間を形成し、該取付空間内にオプション機器を配するとともに、両補助縦枠間に設けた支持部材にオプション機器を取付け、前記縦枠と補助縦枠との間に補助パネル板を着脱可能に取付けてなる大部屋の個室化パネルシステムにおける機器取付装置を構成した（請求項１）。
【０００９】
ここで、前記補助縦枠の前面を前記フレームの縦枠の前面と面一に設定するとともに、前記縦枠と補助縦枠の前面の同じ高さ位置に少なくとも上下二箇所にそれぞれ係合孔を形成し、前記補助パネル板の背面両側部の上下部に連結具を設け、該上下連結具で前記係合孔に嵌合係止して補助パネル板を着脱可能に取付けてなることが好ましい（請求項２）。
【００１０】
そして、前記中横枠又は下横枠に下部支持部材を取付けるとともに、その上方で両補助縦枠間に上部支持部材を取付け、前記オプション機器を上部支持部材と下部支持部材に連結してなることが好ましい（請求項３）。
【００１１】
また、前記両補助縦枠間の下部に横設した補助横枠に下部支持部材を取付けるとともに、その上方で両補助縦枠間に上部支持部材を取付け、前記オプション機器を上部支持部材と下部支持部材に連結してなることもより好ましい（請求項４）。
【００１２】
更に、前記オプション機器が、空気清浄機であることがより好ましい（請求項５）。
【００１３】
また、本発明は、フレームに複数のパネル板を上下に着脱可能に配したブロックパネル構造の間仕切パネルにおいて、前記フレームの上横枠又は下横枠と、両縦枠間の上下中間部に横設した中横枠間、若しくは両縦枠間に上下に間隔を設けて横設した一対の中横枠間に、所定間隔で一対の補助縦枠を固定して取付空間を形成し、前記補助縦枠の前面を前記フレームの縦枠の前面と面一に設定するとともに、前記縦枠と補助縦枠の前面の同じ高さ位置に少なくとも上下二箇所にそれぞれ係合孔を形成し、前記取付空間内にオプション機器を配するとともに、両補助縦枠間に設けた支持部材にオプション機器を取付け、前記補助パネル板の背面両側部の上下部に設けた上下連結具を前記縦枠と補助縦枠の係合孔に嵌合係止して、前記縦枠と補助縦枠との間に補助パネル板を着脱可能に取付けてなる間仕切パネルにおける機器取付装置を構成した（請求項６）。
【発明の効果】
【００１４】
以上にしてなる請求項１に係る発明の大部屋の個室化パネルシステムにおける大部屋の個室化パネルシステムにおける機器取付装置は、既存のブロックパネルのフレームを構成する上横枠又は下横枠と、両縦枠間の上下中間部に横設した中横枠間、若しくは両縦枠間に上下に間隔を設けて横設した一対の中横枠間に、所定間隔で一対の補助縦枠を固定して取付空間を形成し、両補助縦枠間に支持部材を設け、この取付空間内にオプション機器を配して支持部材に取付けるので、オプション機器を簡単且つ強固に取付けることができ、またオプション機器を取付けた空間以外の部位は、縦枠と補助縦枠との間に補助パネル板を着脱可能に取付けるので、その他のパネル板との外観性における統一を図ることができ、施工も簡単である。更に、既存のフレームに一対の補助縦枠と支持部材を追加し、補助パネル板を用意するだけで済むので、コスト上昇を最小限に抑制することができる。また、オプション機器を取付けない場合には、この部分に通常のパネル板を装着すれば、他のブロックパネルと全く同じ外観に保つことができ、レイアウト変更やオプション機器の取付位置に対する自由度が高まるのである。
【００１５】
請求項２によれば、通常のパネル板と同様に、補助パネル板を、その背面両側部の上下部に設けた連結具をフレームの縦枠と補助縦枠の前面に形成した係合孔に嵌合係止することで、着脱可能に取付けることができ、しかもオプション機器を取付けない場合には、両側の縦枠の係合孔に通常のパネル板の上下連結具を嵌合係止して取付けることができ、その場合、前記補助縦枠と支持部材はパネル板の背後に隠蔽することができる。
【００１６】
請求項３によれば、中横枠又は下横枠に取付けた下部支持部材と、両補助縦枠間に取付けた上部支持部材とに、オプション機器を連結して支持するので、支持強度が非常に高くなるとともに、既製のオプション機器に応じて上下の支持部材の形状を変更するだけで、対応することができ、汎用性の高い取付構造となる。
【００１７】
請求項４によれば、両補助縦枠間の下部に横設した補助横枠に取付けた下部支持部材と、両補助縦枠間に取付けた上部支持部材とに、オプション機器を連結して支持するので、支持強度が非常に高くなるとともに、既製のオプション機器に応じて上下の支持部材の形状を変更するだけで、対応することができ、汎用性の高い取付構造となる。
【００１８】
請求項５によれば、オプション機器が、空気清浄機であると、病院等の大部屋病室を壁側パネルとサイドパネル及びカーテンで仕切って個室化した場合にも、個室内の臭いを取り除き、またよどんだ空気を清浄化して清潔で快適な空間にすることが可能である。
【００１９】
請求項６によれば、フレームに複数のパネル板を上下に着脱可能に配したブロックパネル構造の間仕切パネルに、オプション機器を簡単且つ強固に取付けることができ、またオプション機器を取付けた空間以外の部位は、縦枠と補助縦枠との間に補助パネル板を着脱可能に取付けるので、その他のパネル板との外観性における統一を図ることができ、施工も簡単である。更に、既存のフレームに一対の補助縦枠と支持部材を追加し、補助パネル板を用意するだけで済むので、コスト上昇を最小限に抑制することができる。また、オプション機器を取付けない場合には、この部分に通常のパネル板を装着すれば、他のブロックパネルと全く同じ外観に保つことができ、レイアウト変更やオプション機器の取付位置に対する自由度が高まるのである。更に、通常のパネル板と同様に、補助パネル板を、その背面両側部の上下部に設けた連結具をフレームの縦枠と補助縦枠の前面に形成した係合孔に嵌合係止することで、着脱可能に取付けることができ、しかもオプション機器を取付けない場合には、両側の縦枠の係合孔に通常のパネル板の上下連結具を嵌合係止して取付けることができ、その場合、前記補助縦枠と支持部材はパネル板の背後に隠蔽することができる。
【発明を実施するための最良の形態】
【００２０】
次に、本発明の実施形態を添付図面に基づき詳細に説明する。図１は、本発明に係る大部屋の個室化パネルシステムが用いられた大部屋病室の例を示す平面図である。図１において、病院の大部屋病室Ｒは、廊下側の中央部に出入口Ｄがあり、該出入口Ｄと対面する側には採光のための複数の窓Ｗ，Ｗを有し、その両側は構造壁Ｃ，Ｃで仕切られており、出入口Ｄから窓Ｗ，Ｗ側まで共用空間Ｓが設けられている。そして、大部屋の個室化パネルシステムＡ，Ａにより、準個室Ｒ１〜Ｒ４が形成される。また、前記構造壁Ｃ側に頭部側を向けてベッドＢ，…が配置される。
【００２１】
大部屋の個室化パネルシステムＡは、大部屋Ｒの構造壁Ｃに沿って壁側パネル１，１を設置するとともに、該壁側パネル１，１に対して直角に連結されたサイドパネル２により形成される平面視略Ｔ字状とし、該サイドパネル２の遊端側の共用空間Ｓに面する位置にカーテンＣＴ，ＣＴを設けて、準個室Ｒ１，Ｒ２（Ｒ３，Ｒ４）間が仕切られる。ここで、前記カーテンＣＴの代わりに、扉付きパネル又は衝立等の開閉可能な仕切手段を配置してもよい。尚、該個室化パネルシステムＡは、壁側パネル１，…に対して、複数のサイドパネル２，…を、間隔を置いて平面視π字状に連結して構成してもよい。この場合は、一方の構造壁Ｃの側に三つの準個室が形成され、大部屋Ｒを６人部屋として使用できる。
【００２２】
このような大部屋の個室化パネルシステムＡ，…を用いると共に、該パネルシステムＡのサイドパネル２の遊端側に開閉可能なカーテンＣＴを配置すれば、既設の大部屋Ｒに、よりプライバシーが確保された準個室Ｒ１，…を容易に形成することができる。また、本発明に係る大部屋の個室化パネルシステムＡは、壁側パネル１，１にサイドパネル２を平面視略Ｔ字状、あるいは平面視π字状に連結した構造体であるので、床面Ｆに自立状態で設置することが可能であり、構造壁Ｃや床面Ｆに何ら手を加える必要がない。従って、既存の病院の大部屋Ｒに、短時間で簡単に設置することが可能であり、その際に騒音等が発生しないので、他の大部屋の入院患者はそのままの状態で施工することも可能である。
【００２３】
図２〜図４は、壁側パネル及びサイドパネルを構成する間仕切パネルの構造の説明図であり、図２は部分分解斜視図、図３はパネル板を縦枠に取付ける構造を示す部分分解斜視図、図４は、フレームの表裏両面にパネル板を取付けた状態を示す縦断側面図である。
【００２４】
壁側パネル１及びサイドパネル２を構成する間仕切パネルは、フレーム１１の表裏に複数枚のパネル板２１，…を上下方向に配列させて着脱可能とした積層タイプのブロックパネル構造である。フレーム１１は両側縦枠１２，１２間に複数の横枠１３，…を横設してなり、縦枠１２のパネル板２１取付面には係合孔１２ａ，…が形成されている。本実施形態では、両側縦枠１２，１２の上端間に上横枠１３ａを横設し、下端間に下横枠１３ｂを横設し、中間部間に単又は複数の中横枠１４を横設している。
【００２５】
パネル板２１の両側縁部の裏面（フレーム１１に対向する面）には、上下の取付孔２１ａ，２１ａが形成されている。そして、該上下の取付孔２１ａ，２１ａには、上部連結具３１及び下部連結具３２が内嵌される。そして、前記フレーム１１の両側の縦枠１２，１２に形成した上下左右の係合孔１２ａ，…に、前記下部連結具３２に設けた下向きフック３２ａを係止するとともに、前記上部連結具３１に設けた係合爪３１ａを抜止め状態で弾性係合させて前記パネル板２１を取付ける。従って、パネル板２１，…は、壁側パネル１及びサイドパネル２を構成する間仕切パネルのフレーム１１，…から容易に着脱することができる。尚、上下のパネル板２１，２１間には、横目地材２２が配設されており、上下のパネル板間の間隙を塞ぐと共に特に意匠面での統一感を向上することができる。
【００２６】
図５及び図６は、間仕切パネルの連結構造の説明図であり、図５は分解斜視図、図６は横断平面図である。連結ブロック４１は、水平方向の直交する４方向に間仕切パネルを連結することができる構造となっており、該４方向のうちの１方向には、直接縦枠１２が、その通孔１２ｂを通して取付ボルト４３を螺孔４１ｂに螺合させることにより取付けられる。そして、他の３方向には、通孔４２ｂ，４２ｂを通して螺孔４１ａ，４１ａに取付ネジ４４，４４を螺合させて取付部材４２を連結ブロック４１に固定した状態で、その通孔１２ｂを通して取付ボルト４３を取付部材４２の螺孔４２ａに螺合させることにより、縦枠１２を取付けることができる。
【００２７】
したがって、図５及び図６に示すように、平面視略Ｔ字状の個室化パネルシステムＡにおける壁側パネル１，１及びサイドパネル２を強固にかつ容易に連結することができる。なお、連結ブロック４１には、壁側パネル１，１及びサイドパネル２が連結されない部分に連結部カバー４５が装着され、壁側パネル１及びサイドパネル２間の目地部には、突起部４１ｃ，４１ｃに目地カバー４６，４６が装着される。また、サイドパネル２の遊端部には側カバー４７が装着される。
【００２８】
本実施形態では、前記準個室に面する壁側パネル１及びサイドパネル２は、それぞれ３枚の間仕切パネルを直線状に連結して構成されている。各間仕切パネルを直線状に連結するには、隣接するフレーム１１，１１の両側縦枠１２，１２同士を、その間に図示しない連結ブロックを介して直接ボルトで連結する。ここで、前記間仕切パネルは、横幅が９００ｍｍ、あるいは６００ｍｍ、厚さが９０ｍｍのものを使用している。また、前記パネル板２１の上下幅は、前記フレーム１１の縦枠１２に形成した係合孔１２ａ，…の最小上下間隔に取付けることが可能な最小基準幅の整数倍で自由に決定することができる。
【００２９】
次に、図７〜図１１に基づいて本発明の大部屋の個室化パネルシステムにおける機器取付装置を説明する。本実施形態では、前記壁側パネル１にオプション機器として空気清浄機ＡＣを取付ける例を示す。尚、他のオプション機器として、テレビモニターやパソコンモニターとして使用できるフラットパネルディスプレイが挙げられるが、本発明はこれらの機器に限定されるものではない。また、本発明の機器取付装置は、大部屋の個室化パネルシステムに限定されるものではなく、フレーム１１に複数のパネル板２１，…を上下に着脱可能に配したブロックパネル構造の間仕切パネルにおいて広く採用することができる。
【００３０】
本発明に係る機器取付装置は、大部屋Ｒの構造壁Ｃに沿って壁側パネル１，…を設置するとともに、該壁側パネル１，…に対して直角に単又は複数のサイドパネル２，…を連結して設置し、該サイドパネル２の遊端側に開閉可能なカーテンＣＴを配置して個室化するためのパネルシステムにおいて、前記壁側パネル１及びサイドパネル２を、フレーム１１に複数のパネル板２１，…を上下に着脱可能に配したブロックパネル構造とし、前記フレーム１１の上横枠１３ａ又は下横枠１３ｂと、両縦枠１２，１２間の上下中間部に横設した中横枠１４間、若しくは両縦枠１２，１２間に上下に間隔を設けて横設した一対の中横枠１４，１４間に、所定間隔で一対の補助縦枠５１，５１を固定して取付空間ＳＰを形成し、該取付空間ＳＰ内にオプション機器ＡＣを配するとともに、両補助縦枠５１，５１間に設けた支持部材５２，５３にオプション機器ＡＣを取付け、前記縦枠１２と補助縦枠５１との間に補助パネル板５４，５４を着脱可能に取付けたものである。
【００３１】
図７〜図９に示した実施形態は、前記壁側パネル１の最上段に空気清浄機ＡＣを取付けたものである。前記フレーム１１は、両側縦枠１２，１２の上下端間に上横枠１３ａと下横枠１３ｂとを横設して正面視四角形のフレーム構造とし、更に両側縦枠１２，１２の上下中間部間に単又は複数の中横枠１４を横設したものである。また、前記上横枠１３ａ、下横枠１３ｂ及び中横枠１４は、四角パイプ状の部材であり、その奥行方向の寸法は前記縦枠１２の奥行寸法よりも十分に小さく設定されている。そして、前記空気清浄機ＡＣを取付ける位置に、両側に間隔を隔てて一対の補助縦枠５１，５１を設けるのである。ここで、壁側パネル１の最上段にオプション機器（空気清浄機ＡＣ）を取付ける場合には、上横枠１３ａとその直下の中横枠１４との間に、前記補助縦枠５１，５１を垂設して溶接やネジ止め等によって固定する。また、最下段にオプション機器ＡＣを取付ける場合には、下横枠１３ｂとその直上の中横枠１４との間に前記補助縦枠５１，５１を垂設し、上下中間部にオプション機器ＡＣを取付ける場合には、上下の中横枠１４，１４間に前記補助縦枠５１，５１を垂設するのである。
【００３２】
また、前記補助縦枠５１は、図９に示すように、前記縦枠１２の奥行寸法と一致させており、つまり前記補助縦枠５１の前面を前記フレーム１１の縦枠１２の前面と面一に設定している。そして、前記補助縦枠５１の少なくとも前面には、前記縦枠１２に設けた係合孔１２ａ，…と同じ高さ位置に少なくとも上下二箇所にそれぞれ係合孔５１ａ，…を形成している。更に、両補助縦枠５１，５１の下部、本実施形態では該補助縦枠５１，５１を固定した中横枠１４に下部支持部材５２を取付け、その上方で両補助縦枠５１，５１間に上部支持部材５３を取付け、前記空気清浄機ＡＣを上部支持部材５３と下部支持部材５２に連結して支持している。尚、前記下部支持部材５２は、両補助縦枠５１，５１の下部間に直接渡設しても良い。ここで、両支持部材５２，５３に対する空気清浄機ＡＣの連結は、該空気清浄機ＡＣが本来備えている連結構造を利用し、即ち背面側に設けられている螺孔に各支持部材５２，５３に背面側から貫通したネジ５５，…を螺合して行う。前記下部支持部材５２は、前記空気清浄機ＡＣの荷重を受けるため、前記中横枠１４の上面に直接取付けているが、勿論、それ自体で十分な強度を備えた下部支持部材５２を中横枠１４とは独立してその上方に横設することも可能である。また、前記上部支持部材５３は、空気清浄機ＡＣの本体部を前記壁面パネル１の厚みで抱き込んで保持することができるように後方へ突出した平面視略コ字形の部材である。
【００３３】
そして、前記補助パネル板５４は、図１０に示すように、両側上下部に前記パネル板２１に設けたものと同様の上部連結具５６と下部連結具５７を設け、前記空気清浄機ＡＣの側方で前記縦枠１２の下方の係合孔１２ａと補助縦枠５１の下方の係合孔５１ａに、下部連結具５７のフック５７ａを係止するとともに、前記縦枠１２の上方の係合孔１２ａと補助縦枠５１の上方の係合孔５１ａに、上部連結具５６の係合爪５６ａを弾性的に嵌入して保持する。また、前記空気清浄機ＡＣ及び両補助パネル板５４，５４の下方には、前記パネル板２１を取付ける。本実施形態では、前記構造壁Ｃに沿って設置される壁側パネル１に空気清浄機ＡＣを取付けたので、該壁側パネル１の裏面側にはパネル板２１や補助パネル板５４，５４は取付けてないが、一般的なブロックパネル構造の間仕切パネルに本発明を適用する場合には、裏面側にもパネル板２１や補助パネル板５４，５４を取付けるものとする。その場合には、前記空気清浄機ＡＣの背面を覆うカバー部材が前記支持部材５２，５３に設けられ、あるいはカバー機能を有する支持部材を用いる。
【００３４】
前記空気清浄機ＡＣは、本体部の前面に空気の取入口と清浄空気の吹出口を設けたものであるが、取入口と吹出口が分離したタイプのものでも良く、その場合には壁面パネル１の下部に取入口を、上部の吹出口を設け、その間をパネル内部においてダクトで連結する。あるいは、取入口と吹出口を有する複数の空気清浄機ＡＣ，…を一つの共用本体部に連結するタイプのものは、共用本体部を適所に設置し、それから壁面パネル１の背面側においてダクトで各空気清浄機ＡＣ，…に接続する。尚、本発明において壁面パネル１は構造壁Ｃに接近して配置するので、該壁面パネル１の背面側にはパネル板２１を設ける必要がない。
【００３５】
また、前記フレーム１１の上横枠１３ａと中横枠１４との間隔が大きい場合には、図１１に示すように、両補助縦枠５１，５１間の下部に、前記中横枠１４と同一断面を有する補助横枠５８を横設し、該補助横枠５８に前記下部支持部材５２を取付けるとともに、その上方で両補助縦枠５１，５１間に上部支持部材５３を取付け、前記オプション機器（空気清浄機ＡＣ）を上部支持部材５３と下部支持部材５２に連結するようにしても良い。尚、前記下部支持部材５２と補助横枠５８は一体であっても良く、つまり両補助縦枠５１，５１の上下中間部の間に下部支持部材５２を直接渡設しても良い。この場合も、前記空気清浄機ＡＣより下方位置には、前記パネル板２１を取付けるとともに、空気清浄機ＡＣの両側に補助パネル板５４，５４を取付ける。その他の構成は、図９と同様であるので、同一構成には同一符号を付してその説明は省略する。
【産業上の利用可能性】
【００３６】
本発明に係る大部屋の個室化パネルシステムは、病院の大部屋病室に適用することを主な用途とするが、その他の既存の大部屋を個室化する用途、例えば簡易宿泊所、緊急避難所等において大部屋、例えば体育館や公民館等の室内を複数に区画して個室化する用途にも適用できるものである。
【図面の簡単な説明】
【００３７】
【図１】本発明に係る大部屋の個室化パネルシステムが用いられた大部屋病室の例を示す平面図である。
【図２】壁側パネル及びサイドパネルを構成する間仕切パネルの構造の部分分解斜視図である。
【図３】パネル板を縦枠に取付ける構造を示す部分分解斜視図である。
【図４】フレームの表裏両面にパネル板を取付けた状態を示す縦断側面図である。
【図５】間仕切パネルの連結構造を示す分解斜視図である。
【図６】同じく横断平面図である。
【図７】本発明の簡略斜視図である。
【図８】壁面パネルに空気清浄機を取付けた状態の拡大斜視図である。
【図９】同じく分解斜視図である。
【図１０】補助パネル板の背面斜視図である。
【図１１】他の実施形態を示す分解斜視図である。
【符号の説明】
【００３８】
Ａ  大部屋の個室化パネルシステム    Ｂ  ベッド
Ｃ  構造壁                          Ｄ  出入口
ＣＴ  カーテン                      Ｒ  大部屋
Ｒ１〜Ｒ４  準個室                  Ｓ  共用空間
Ｗ  窓                              Ｆ  床面
ＡＣ  オプション機器（空気清浄機）
１  壁側パネル                      ２  サイドパネル
１１  フレーム                      １２  縦枠
１２ａ  係合孔                      １２ｂ  通孔
１３  横枠                          １３ａ  上横枠
１３ｂ  下横枠                      １４  中横枠
２１  パネル板
２１ａ  取付孔                      ２２  横目地材
３１  上部連結具                    ３１ａ  係合爪
３２  下部連結具                    ３２ａ  フック
４１  連結ブロック                  ４１ａ，４１ｂ  螺孔
４１ｃ  突起部                      ４２  取付部材
４２ａ  螺孔                        ４２ｂ  通孔
４３  取付ボルト                    ４４  取付ネジ
４５  連結部カバー                  ４６  目地カバー
４７  側カバー
５１  補助縦枠                      ５１ａ  係合孔
５２  下部支持部材                  ５３  上部支持部材
５４  補助パネル板                  ５５  ネジ
５６  上部連結具                    ５６ａ  係合爪
５７  下部連結具                    ５７ａ  フック
５８  補助横枠
【図１】
0004524649.tif 000002
【図２】
0004524649.tif 000003
【図３】
0004524649.tif 000004
【図４】
0004524649.tif 000005
【図５】
0004524649.tif 000006
【図６】
0004524649.tif 000007
【図７】
0004524649.tif 000008
【図８】
0004524649.tif 000009
【図９】
0004524649.tif 000010
【図１０】
0004524649.tif 000011
【図１１】
0004524649.tif 000012